(57)【要約】【課題】液流動を規制する流動規制流路の断面形状および流路形状についての自由度が高く液体の性状および液体の注出量に応じた幅広い安定した液流動規制を行うことが出来る液体注出容器を提供する。【解決手段】表面に貫通穴（４１）と該貫通穴に連通した切欠き溝（４２）を有する複数の流動規制板（４０）を多段に組み付け、ノズル部（２０）のノズル本体（２４）入口部(IN)の下方に設ける。なお、各貫通穴（４１）は中心軸に対し偏芯させ、切欠き溝（４２）は直径に沿って設ける。また、多段に組み付けた際に、一番上方に位置する流動規制板（４０Ｕ）の上面には突リブ（４３）を放射状に設ける。更に、貫通穴（４１）の穴位置関係および切欠き溝（４２）の上下位置関係が予め位置決めしておき、隣接する流動規制板（４０，４０）はヒンジ部（４６）によって結合する。【選択図】図２
2014166877.tif 000002
【特許請求の範囲】
【請求項１】
胴部（１１）を有する容器本体（１０）と、該容器本体の口頸部（１３）に立設されたノズル部（２０）と、該ノズル部のノズル本体（２４）出口部(OUT)を閉栓するキャップ部（３０）とを備えた液体注出容器であって、
前記ノズル部（２０）のノズル本体（２４）入口部(IN)の下方には、表面に貫通穴（４１）と該貫通穴に連通した切欠き溝（４２）を有する複数の流動規制板（４０）が多段に組み付けられていることを特徴とする液体注出容器。
【請求項２】
前記複数の流動規制板の内、先頭の流動規制板（４０Ｕ）のノズル本体（２４）入口部（IN）に対向する面には突リブ（４３）が設けられている請求項１記載の液体注出容器。
【請求項３】
前記貫通穴（４１）は中心軸に対し偏芯して設けられている請求項１又は２記載の液体注出容器。
【請求項４】
前記切欠き溝（４２）は前記流動規制板（４０）の長径に沿って設けられている請求項３記載の液体注出容器。
【請求項５】
隣り合う２つの前記流動規制板は嵌合ピン（４４）および嵌合穴（４５）によって結合されている請求項１から４の何れかに記載の液体注出容器。
【請求項６】
隣り合う２つの前記流動規制板はヒンジ部（４６）によって結合されている請求項１から５の何れかに記載の液体注出容器。
【請求項７】
前記ノズル部（２０）はノズル本体（２４）の出口部(OUT)に向けて階段状に縮径した多段中空筒形状を成す請求項１から６の何れかに記載の液体注出容器。
【請求項８】
前記流動規制板（４０）は、ノズル本体（２４）の入口部(IN)に連続する中空筒形状の流動規制板収納部（２３）内に収納される請求項１から７の何れかに記載の液体注出容器。
【請求項９】
前記流動規制板収納部（２３）は、ノズル本体（２４）側の反対の端部に縮径部（２３ａ）を形成する請求項８記載の液体注出容器。
【発明の詳細な説明】
【技術分野】
【０００１】
本発明は、液体注出容器、特に液流動を規制する流動規制流路の断面形状および流路形状についての自由度が高く液体の性状および液体の注出量に応じた幅広い安定した液流動規制を行うことが出来る液体注出容器に関するものである。
【背景技術】
【０００２】
調味料、サラダドレッシング等の液体内容物を収容するハンディタイプのプラスチック製容器で、容器本体の胴部が弾性的に圧搾可能に構成され、肩部を介して首部にノズルが立設されたハンディタイプのプラスチック製液体注出容器が広く用いられている。
このような容器として、液注出の際に安定して少量の注出を行えるように、圧搾可能な胴部（４）を有するとともに、口頸部（５）上に筒状ノズル（６）を延設した容器体（２）と、ノズル（６）の内周部に外周部を密接した棒状栓体（９）をノズル（６）の注出口（８）側へ付勢させて装着した栓部材（３）とを備え、棒状栓体（９）外周部とノズル内周部との密接部分に棒状栓体（９）の上下を連通する液流路（ａ）が設けられている注出栓付き容器（１）が知られている（例えば、特許文献１を参照。）。
この液流路（ａ）は、特許文献１［００１８］に記載されている通り、棒状栓体（９）の外周部あるいはノズル（６）内周部に縦溝（１２）を設けることにより形成され、又は、棒状栓体（９）の外周部あるいはノズル（６）内周部に縦突条（１３）を設けることにより形成される。更には、上記縦溝（１２）と縦突条（１３）とを組み合わせることでも形成される。
【先行技術文献】
【特許文献】
【０００３】
【特許文献１】特開２００４−３３１１０３号公報
【発明の概要】
【発明が解決しようとする課題】
【０００４】
上記注出栓付き容器の場合、液流路（ａ）の流路径はノズル（６）内径に対し極めて小さいため、容器内部から口頸部（５）の注出口（８）へ流れる液流動を好適に規制し、これにより少量の液体の安定注出が可能となる。また、液体がノズルから暴出（飛散）することも好適に抑制される。
ところで、液流動を規制する液流路（ａ）は、棒状栓体（９）の外周面がノズル（６）の内周面に当接することにより形成される。
従って、ノズル（６）の内部形状は、縮径部を有するように逆ラッパ形状（先細形状）にする必要がある。このように、上記注出栓付き容器の場合、ノズル（６）の内部形状と棒状栓体（９）の外部形状は、互いに依存し合う関係にあり、液流動を規制する液流路（ａ）の断面形状および流路形状を自由に設定することは難しく、従って、液流動の規制については更なる改良の余地があった。
そこで、本発明は、上記従来技術の課題に鑑みなされたものであって、液流動を規制する流動規制流路の断面形状および流路形状についての自由度が高く液体の性状および液体の注出量に応じた幅広い安定した液流動規制を行うことが出来る液体注出容器を提供することを目的とする。
【課題を解決するための手段】
【０００５】
上記技術的課題を解決するための本発明に係る第１手段は、胴部を有する容器本体と、該容器本体の口頸部に立設されたノズル部と、該ノズル部のノズル本体出口部を閉栓するキャップ部とを備えた液体注出容器であって、
前記ノズル部のノズル本体入口部の下方には、表面に貫通穴と該貫通穴に連通した切欠き溝を有する複数の流動規制板が多段に組み付けられていることを特徴とする。
【０００６】
上記構成では、上記流動規制板を多段に組み合わせることにより、液体の流動を規制する流動規制流路を好適に形成することが出来る。すなわち、隣接した二つの流動規制板において切欠き溝は流動規制流路の"流路"を形成し、貫通穴は"流路"の"入口部"および"出口部"を、更には隣接する"流路"を結合する"中継部"をそれぞれ形成することが出来る。また、上記貫通穴と上記切欠き溝は板表面に形成されたシンプルな構成であるため、貫通穴の穴位置・形状および穴径を自由に設定することが出来ると共に、切欠き溝の深さ及び溝の断面形状についても自由に設定することが出来る。このように、上記流動規制板を多段に組み合わせることにより、流動規制流路の断面形状・流路形状をある程度自由に設定することが出来るようになる。なお、流動規制流路の長さについては、上記流動規制板の段数を変えることにより自由に設定することが出来るようになる。
従って、上記流動規制板を使用することにより、流動規制流路の断面形状・流路形状および長さについて高い自由度を有するようになり、その結果、液体の性状および液体の注出量に応じた幅広い液流動規制を行うことが出来るようになる。
【０００７】
本発明に係る第２手段は、前記複数の流動規制板の内、先頭の流動規制板のノズル本体入口部に対向する面には突リブが設けられている、ことにある。
【０００８】
上記構成では、上記流動規制流路の"出口部"としての貫通穴がノズル本体入口部によって塞がれることを好適に防止し、貫通穴を流出する液体が流れる隙間（流路）を好適に確保するようになる。
【０００９】
本発明に係る第３手段は、前記貫通穴は中心軸に対し偏芯して設けられている、ことにある。
【００１０】
上記構成では、貫通穴が偏芯して設けられていることにより、隣接する流動規制板の穴の位置関係および上下位置関係を適切に設定することにより、後述する通り、流動規制流路の形状をクランク状に折り曲げることが可能となる。
【００１１】
本発明に係る第４手段は、前記切欠き溝は前記流動規制板の長径に沿って設けられている、ことにある。
【００１２】
上記構成では、流動規制流路の１段当たりの流路長を長く確保することが可能となり、従って、流動規制流路全体の流路長を長くすることが可能となる。
【００１３】
本発明に係る第５手段は、隣り合う２つの前記流動規制板は嵌合ピンおよび嵌合穴によって結合されている、ことにある。
【００１４】
上記構成では、上記嵌合ピンおよび嵌合穴は、隣接する流動規制板の穴の位置関係および上下位置関係に対する位置決め用ガイドとなる。また、隣り合う２つの流動規制板を密に結合する結合手段ともなり得る。
【００１５】
本発明に係る第６手段は、隣り合う２つの前記流動規制板はヒンジ部によって結合されている、ことにある。
【００１６】
上記構成では、貫通穴の穴位置関係および切欠き溝の上下位置関係が予め位置決めされて、各流動規制板がヒンジ部で結合されている場合、一方の流動規制板をヒンジ部に関して折り返して他方の流動規制板に順に組み付けることによって、隣り合う２つの流動規制板を正しい穴の位置関係および上下位置関係で結合することが可能となる。つまり、上記構成は、穴の位置決めおよび上下位置決め作業を不要とし、流動規制板を正しい位置関係で容易に多段に組み付けることを可能にする。
【００１７】
本発明に係る第７手段は、前記ノズル部はノズル本体の出口部に向けて階段状に縮径した多段中空筒形状を成す、ことにある。
【００１８】
上記構成では、容器本体に対する嵌合部およびキャップ取付部を確保した上で、ノズル部の内部に流動規制板を安定して収納するための十分な空間を好適に確保することが可能となる。
【００１９】
本発明に係る第８手段は、前記流動規制板はノズル本体の入口部に連続する中空筒形状の流動規制板収納部内に収納される、ことにある。
【００２０】
上記構成では、多段に組み付けられた複数の流動規制板をノズル本体の近傍に別個独立に設けることが可能となる。
【００２１】
本発明に係る第９手段は、前記流動規制板収納部は、ノズル本体側の反対の端部に縮径部を形成する、ことにある。
【００２２】
上記構成では、多段に組み付けられた複数の流動規制板を上記収納部に安定して取り付けることが可能となる。
【発明の効果】
【００２３】
本発明の液体注出容器によれば、表面に貫通穴とそれに連通した切欠き溝を有する流動規制板を、ノズル本体の入口部下方に多段に組み付けることにより、断面形状および流路形状についての自由度が高い流動規制流路を好適に形成することが出来る。すなわち、流動規制流路の入口部、出口部および中継部については貫通穴によって形成される一方、流動規制流路の流路については切欠き溝によって形成される。上記貫通穴と上記切欠き溝は板表面に形成されたシンプルな構成であること、更に流動規制板はノズル本体の近傍に別個独立に設けられるため（ノズル本体内部に設ける必要がないため）、貫通穴の穴位置・形状および穴径を自由に設定することが出来ると共に、切欠き溝の深さ及び溝の断面形状についても自由に設定することが出来る。従って、隣接する流動規制板の穴位置関係および上下位置関係を適切に設定した上で多段に組み付けることにより、流動規制流路の断面形状・流路形状及び長さについて高い自由度を有するようになり、その結果、液体の性状および液体の注出量に応じた幅広い液流動規制を行うことが出来るようになる。更に、液の暴出（飛散）を好適に抑制することが出来るようになる。
また、貫通穴の穴位置関係および切欠き溝の上下位置関係が予め位置決めされて、各流動規制板がヒンジ部で結合されている場合は、容易に多段に組み付けることが出来るようになる。
【図面の簡単な説明】
【００２４】
【図１】本発明の液体注出容器を示す全体図である。
【図２】本発明の液体注出容器を示す要部断面図である。
【図３】本発明に係る流動規制板を示す説明図である。
【図４】本発明に係る流動規制板による液体の流動規制を示す説明図である。
【図５】本発明の他の実施例に係る液体注出容器を示す説明図である。
【図６】本発明の他の実施例に係る流動規制板を示す説明図である。
【図７】本発明の他の実施例に係る流動規制板を示す説明図である。
【図８】本発明の他の実施例に係る流動規制板による液体の流動規制を示す説明図である。
【発明を実施するための形態】
【００２５】
以下、図に示す実施の形態により本発明をさらに詳細に説明する。
【００２６】
図１−２は、本発明の液体注出容器１００を示す説明図である。なお、図１は全体図であり、図２は要部断面図である。
この液体注出容器１００は、液体内容物（以下、単に「液体」という。）を収容する容器本体１０と、液体を外部へ導出するノズル部２０と、ノズル部２０の出口部OUTを閉栓するキャップ部３０と、液体の流動を規制する流動規制板４０,４０とを具備して構成されている。なお、詳細については図３−８を参照しながら後述するが、液体注出容器１００では流動規制板４０，４０が上下二段に組み付けられ、液体の流動を好適に規制している。
【００２７】
容器本体１０は、胴部１１、肩部１２および口頸部１３から成るプラスチック製容器であり、例えば、胴部１１が弾性的に圧搾可能であるスクイズ容器である。従って、ユーザーが指で胴部１１を両側から圧搾すると、胴部１１はその両側から内側に凹み、液体がノズル部２０の方へ押し出される。その際、仮にユーザーが胴部１１を誤って過度に圧搾し、大量の液体がノズル部２０の入口部INに向けて押し出される場合であっても、その液体は流動規制板４０，４０によって後述するように流動規制され、その結果、液体の飛散が好適に抑制される。
【００２８】
図２に示すように、容器本体１０の口頸部１３には、ノズル部２０の周凹部２１ａと凹凸嵌合するための周凸部１３ａが口頸部１３の外周面に沿って周条に形成されている。
【００２９】
ノズル部２０は、容器嵌合部２１、キャップ取付部２２、流動規制板収納部２３およびノズル本体２４から成り、ノズル本体２４の出口部OUTに向けて４箇所で階段状に縮径した四段中空円筒構造を成している。
【００３０】
容器嵌合部２１は、二段中空円筒構造を構成し、初段の円筒側壁内周面には口頸部１３の周凸部１３ａに径方向に対し凹凸嵌合する周凹部２１ａが周条に形成されている。次段の円筒頂壁内周面には口頸部１３の口部１３ｂと軸方向に対し凹凸嵌合する周溝部２１ｂが周条に形成されている。このように、ノズル部２０は、径方向および軸方向に対し凹凸嵌合しながら容器本体１０の口頸部１３に安定して取り付けられている。
【００３１】
キャップ取付部２２は、単段中空円筒構造を構成し、その側壁外周面にはキャップ部３０の雌ねじ部３１とネジ結合する雄ねじ部２２ａが形成されている。
【００３２】
流動規制板収納部２３は、単段中空円筒構造を構成し、その内部に流動規制板４０,４０が上下二段に組み付けられている。また、ノズル本体２４と反対側の端部には、流動規制板４０,４０をその内部に密に嵌め込み離脱を防止する縮径部２３ａが形成されている。この流動規制板収容部２３によって、流動規制板４０,４０をノズル本体２４の内部に嵌め込むことなく、ノズル本体２４の入口部IN近傍に設けることが可能となり、その結果、液体の性状および液体の注出量に応じて液体の流動を好適に規制することが可能となる。
【００３３】
ノズル本体２４は、本実施例では末広形状（ラッパ形状）ではあるが、先細形状（逆ラッパ形状）または直管形状（ストレートパイプ形状）であっても良い。また、ノズル本体２４の出口部OUTは、ノズル本体２４の外周面への液付着を防止するために、外側に拡がりながら下方にカールする形状を成している。
【００３４】
キャップ部３０の側壁内周面には、ノズル部２０の雄ねじ部２２ａとネジ結合する雌ねじ部３１が形成されている。頂壁内周面には、棒状栓部３２が垂直に立設して形成され、キャップ部３０をノズル部２０に締め付けるに従い、棒状栓部３２がノズル部２０のノズル本体２４の内部に押し込まれ出口部OUTを水密に閉栓するように構成されている。
【００３５】
図３は、本発明に係る流動規制板４０Ｕ,４０Ｌを示す説明図である。なお、図３(a)は正面図であり、図３(b)は同(a)のＡ−Ａ断面図であり、図３(c)は背面図である。また、説明の都合上、多段に組み付けられる際に上方に位置する流動規制板４０を流動規制板４０Ｕと、下方に位置する流動規制板４０を流動規制板４０Ｌとして区別した。
図３(a)(b)(c)に示すように、この流動規制板４０Ｕ,４０Ｌは、プラスチック製の円板の表面に貫通穴４１Ｕ,４１Ｌと、その貫通穴に連通する切欠き溝４２Ｕ,４２Ｌを基本構成として備えている。貫通穴４１Ｕ,４１Ｌは、中心軸に対し同一方向に偏芯して各々形成され、切欠き溝４２Ｕ,４２Ｌは同じ下面側に円板の直径に沿って各々形成されている。従って、流動規制板４０Ｕ,４０Ｌは、貫通穴についての位置関係および切欠き溝についての上下位置関係は互いに同一である。
【００３６】
また、流動規制板４０Ｕの上面側には嵌合穴４５、流動規制板４０Ｌの下面側には嵌合ピン４４がそれぞれ形成されている。なお、本実施例では嵌合穴４５は上面から下面へ貫通しているが、貫通していなくても良い。また、嵌合ピン４４の長さについても、円板の板厚以下で且つ嵌合穴４５に嵌合する際に流動規制板４０Ｕ,４０Ｌが隙間なく密に接合する限り、特に制限はない。
【００３７】
また、流動規制板４０Ｕの表面には、表面から突出した縦長の突リブ４３が放射状に９０°の間隔で形成されている。この突リブ４３は、流動規制板４０Ｕ,４０Ｌが上下二段に組み付けられ流動規制板収容部２３（図２）に収納される際、ノズル本体２４の入口部INに当接して、貫通穴４１Ｕを流出する液体が流れる隙間（流路）を好適に確保する。
【００３８】
また、流動規制板４０Ｕ,４０Ｌはヒンジ部４６によって結合しており、ユーザーが流動規制板４０Ｌを時計方向に回転させることにより、或いは流動規制板４０Ｕを反時計方向に回転させることにより、嵌合ピン４４と嵌合穴４５が嵌合して流動規制板４０Ｕ,４０Ｌを上下二段に正しい位置関係で組み付けることが出来るようになる。つまり、貫通穴４１Ｕ,４１Ｌについての位置決め及び切欠き溝４２Ｕ,４２Ｌについての上下位置決めを行うことなく、流動規制板４０Ｕ,４０Ｌを上下二段に正しい位置関係で組み付けることが出来るようになる。
【００３９】
図４は、本発明に係る流動規制板４０Ｕ,４０Ｌによる液体の流動規制を示す説明図である。
液流動は、先ず貫通穴４１Ｌによって絞られながら内部を流入し、そして切欠き溝４２Ｕの壁面に当接して９０°左方向に折り曲げられ、そして切欠き溝４２Ｕ,４２Ｌによって形成される流路内によって規制されながら内部を流れ、切欠き溝４２Ｌおよび貫通穴４１Ｕの各壁面に当接して９０°上方に折り曲げられ、そして貫通穴４１Ｕから拡散しながら流出して、ノズル本体２４入口部INへ流入する。このように、液流動は、絞られ→９０°折り曲げられ→絞られ→９０°折り曲げられ→拡散される、という規制を受けるため、液体の性状および液体の注出量に応じた幅広い安定した液流動規制を行うことが出来るようになる。また、液の暴出（飛散）を好適に抑制することが出来るようになる。
【００４０】
図５は、本発明の他の実施例に係る液体注出容器２００を示す説明図である。
この液体注出容器２００は、液体の流動を規制する流動規制部が流動規制板４０によって三段に組み付けられて構成されている。その他の構成については、上記液体注出容器１００と同じである。流動規制板４０が三段に組み付けられているため、上記液体注出容器１００に比べ、液流動に対する規制はより強くなる。なお、後述する通り、隣接する各々の流動規制板４０,４０については、ヒンジ位置を上下変えて結合され、容易に三段に組み付けることが出来るように構成されている。
【００４１】
図６は、本発明に係る流動規制板４０Ｕ,４０Ｍ,４０Ｌを示す説明図である。なお、図６(a)は正面図であり、図６(b)は同(a)のＢ−Ｂ断面図であり、図６(c)は背面図である。また、説明の都合上、多段に組み付けられる際に上方に位置する流動規制板４０を流動規制板４０Ｕと、中間に位置する流動規制板４０を流動規制板４０Ｍと、下方に位置する流動規制板４０を流動規制板４０Ｌとして区別した。
図６(a)(b)(c)に示すように、この流動規制板４０Ｕ,４０Ｍ,４０Ｌについても、貫通穴４１Ｕ,４１Ｍ,４１Ｌと、その貫通穴に連通する切欠き溝４２Ｕ,４２Ｍ,４２Ｌを基本構成として備えている。貫通穴４１Ｕ,４１Ｍ,４１Ｌは、中心軸に対し同一方向に偏芯して各々形成されている。切欠き溝４２Ｕ,４２Ｍ,４２Ｌについては、流動規制板４０Ｕ,４０Ｍについては同じ下面側に円板の直径に沿って各々形成されているが、流動規制板４０Ｌについては上面側に円板の直径に沿って形成されている。
【００４２】
また、嵌合ピン４４は流動規制板４０Ｍの両面に形成され、嵌合穴４５は流動規制板４０Ｕ,４０Ｌに切欠き溝４２Ｕ,４２Ｌに関して対称にそれぞれ形成されている。
【００４３】
また、図６(b)に示すように、ヒンジ部４６については、流動規制板４０Ｕ,４０Ｍについては下側に形成され、他方、流動規制板４０Ｍ,４０Ｌについては上側に形成されている。このようにヒンジ部４６を形成することにより、図７に示すように、流動規制板４０Ｕ,４０Ｍ,４０Ｌを容易に三段に組み付けることが可能となる。
【００４４】
図８は、本発明に係る流動規制板４０Ｕ,４０Ｍ,４０Ｌによる液体の流動規制を示す説明図である。
液流動は、先ず貫通穴４１Ｌによって絞られながら９０°右方向に折り曲げられ、そして切欠き溝４２Ｌによって形成される流路内によって規制されながら内部を流れ、そして切欠き溝４２Ｌおよび貫通穴４１Ｍの各壁面に当接して９０°上方へ折り曲げられ、その直後に切欠き溝４２Ｕに当接して９０°左方向へ折り曲げられ、そして切欠き溝４２Ｕ,４２Ｍによって形成される流路内によって規制されながら内部を流れ、そして切欠き溝４２Ｍおよび貫通穴４１Ｕの各壁面に当接して９０°上方に折り曲げられ、そして貫通穴４１Ｕから拡散しながら流出して、ノズル本体２４入口部INへ流入する。
【００４５】
このように、液流動は、絞られ→９０°折り曲げられ→絞られ→９０°折り曲げられ→９０°折り曲げられ→絞られ→９０°折り曲げられ→拡散される、という規制を受けるため、液体の性状および液体の注出量に応じた幅広い安定した液流動規制を行うことが出来るようになる。また、液の暴出（飛散）を好適に抑制することが出来るようになる。
【００４６】
以上の通り、本発明の液体注出容器１００,２００によれば、表面に貫通穴４１Ｕ,４１Ｍ,４１Ｌとそれに連通した切欠き溝４２Ｕ,４２Ｍ,４２Ｌを有する流動規制板４０Ｕ,４０Ｍ,４０Ｌを、ノズル本体２４の入口部下方に多段に組み付けることにより、断面形状および流路形状についての自由度が高い流動規制流路を好適に形成することが出来る。すなわち、流動規制流路の入口部、出口部および中継部については貫通穴４１Ｕ,４１Ｍ,４１Ｌによって形成される一方、流動規制流路の流路については切欠き溝４２Ｕ,４２Ｍ,４２Ｌによって形成される。上記貫通穴４１Ｕ,４１Ｍ,４１Ｌと上記切欠き溝４２Ｕ,４２Ｍ,４２Ｌは板表面に形成されたシンプルな構成であること、更に流動規制板４０Ｕ,４０Ｍ,４０Ｌはノズル本体２４の近傍に別個独立に設けられるため（ノズル本体２４内部に設ける必要がないため）、貫通穴４１Ｕ,４１Ｍ,４１Ｌの穴位置・形状および穴径を自由に設定することが出来ると共に、切欠き溝４２Ｕ,４２Ｍ,４２Ｌの深さ及び溝の断面形状についても自由に設定することが出来る。従って、隣接する流動規制板の穴位置関係および上下位置関係を適切に設定した上で多段に組み付けることにより、流動規制流路の断面形状・流路形状及び長さについて高い自由度を有するようになり、その結果、液体の性状および液体の注出量に応じた幅広い液流動規制を行うことが出来るようになる。更に、液の暴出（飛散）を好適に抑制することが出来るようになる。
また、貫通穴４１Ｕ,４１Ｍ,４１Ｌの穴位置関係および切欠き溝４２Ｕ,４２Ｍ,４２Ｌの上下位置関係が予め位置決めされて、各流動規制板４０Ｕ,４０Ｍ,４０Ｌがヒンジ部４６で結合されている場合は、容易に多段に組み付けることが出来るようになる。
【００４７】
なお、以上の説明において、容器本体１０、ノズル部２０、キャップ部３０および流動規制板４０については円筒形状あるいは円板形状として説明してきたが、容器本体１０、ノズル部２０、キャップ部３０および流動規制板４０は、これらの形状に限定されず、楕円筒形状あるいは楕円板形状、または角形形状あるいは矩形等を適用することも可能である。
【００４８】
また、流動規制板４０Ｕ,４０Ｍ,４０Ｌについて、貫通穴４１Ｕ,４１Ｍ,４１Ｌの穴位置・形状、隣接した流動規制板の穴位置関係、切欠き溝４２Ｕ,４２Ｍ,４２Ｌの深さ及び溝の断面形状、隣接した流動規制板の上下位置関係についても本実施例だけに限定されない。
【００４９】
また、流動規制板の段数についても二段および三段だけに限定されるものではない。
【産業上の利用可能性】
【００５０】
本発明の液体注出容器は、調味料、サラダドレッシング等の液体収納容器に対し好適に適用される。
【符号の説明】
【００５１】
１０                    容器本体
１１                    胴部
１２                    肩部
１３                    口頸部
１３ａ                  周凸部
１３ｂ                  口部
２０                    ノズル部
２１                    容器嵌合部
２１ａ                  周凹部
２１ｂ                  周溝部
２２                    キャップ取付部
２２ａ                  雄ねじ部
２３                    流動規制板収納部
２３ａ                  縮径部
２４                    ノズル本体
３０                    キャップ部
３１                    雌ねじ部
３２                    棒状栓部
４０Ｕ，４０Ｍ，４０Ｌ  流動規制板
４１Ｕ，４１Ｍ，４１Ｌ  貫通穴
４２Ｕ，４２Ｍ，４２Ｌ  切欠き溝
４３                    突リブ
４４                    嵌合ピン
４５                    嵌合穴
４６                    ヒンジ部
１００、２００          液体注出容器
【図１】
2014166877.tif 000003
【図２】
2014166877.tif 000004
【図３】
2014166877.tif 000005
【図４】
2014166877.tif 000006
【図５】
2014166877.tif 000007
【図６】
2014166877.tif 000008
【図７】
2014166877.tif 000009
【図８】
2014166877.tif 000010